(57)【要約】【課題】熱煙複合型火災感知器と煙単独型火災感知器とにおいて、保護カバーを共用することを目的とする。【解決手段】火災感知器１００は、本体ベース１０とプリント基板１と暗箱３と保護カバー３０とを少なくとも備え、保護カバー３０が、暗箱３が貫通するカバー周面部３１と、暗箱３を覆うカバー天面部３９と、両者をを連結する複数の脚部とを具備して本体ベース１０に接合される。保護カバー３０が、カバー本体部２３０と、これに突き合わせ自在に分割された熱煙複合型火災感知器用カバーアダプタ２２０、または、煙単独型火災感知器用カバーアダプタ３２０とで構成され、熱煙複合型火災感知器用カバーアダプタ２３０には、感熱素子２が貫通するための感熱素子貫通孔３２が形成される。【選択図】図１
2009245088.tif 000002
【特許請求の範囲】
【請求項１】
本体ベースと、
該本体ベースに設置されたプリント基板と、
前記プリント基板に設置され、外光を遮断して煙粒子を流入する暗箱と、
前記暗箱が貫通して内側に配置される暗箱貫通孔が中央に形成されたカバー周面部と、前記暗箱の上面を覆うカバー天面部と、該カバー天面部と前記カバー周面部とを連結する複数の脚部と、を具備し、前記本体ベースに接合される保護カバーと、を少なくとも備えた火災感知器であって、
前記保護カバーが、カバー本体部と、該カバー本体部に突き合わせ自在に分割された熱煙複合型火災感知器用カバーアダプタ、または、煙単独型火災感知器用カバーアダプタと、で構成され、
前記熱煙複合型火災感知器用カバーアダプタには、感熱素子が貫通するための感熱素子貫通孔が形成されることを特徴とする火災感知器。
【請求項２】
前記熱煙複合型火災感知器用カバーアダプタは、前記カバー周面部の一部であって、前記感熱素子貫通孔が形成されるアダプタ周面部と、前記カバー天面部の一部であるアダプタ天面部と、該アダプタ天面部と前記アダプタ周面部とを連結して前記複数の脚部の１つを構成すると共に、前記感熱素子を保護する感熱素子プロテクタと、を具備し、
前記煙単独型火災感知器用カバーアダプタは、前記カバー周面部の一部であるアダプタ周面部と、前記カバー天面部の一部であるアダプタ天面部と、該アダプタ天面部と前記アダプタ周面部とを連結して前記複数の脚部の１つを構成する脚部と、を具備し、
前記カバー本体部は、前記アダプタ周面部に突き合わされることによって前記カバー周面部を形成するカバー周面本体部と、前記アダプタ天面部に突き合わされることによって前記カバー天面部を形成するカバー天面本体部と、前記複数の脚部を構成するいくつかの脚部と、を具備してなることを特徴とする請求項１記載の火災感知器。
【請求項３】
本体ベースと、該本体ベースに設置されたプリント基板と、該プリント基板に設置され、外光を遮断して煙粒子を流入する暗箱と、前記プリント基板に立設された感熱素子と、を具備する熱煙複合型火災感知器；または、本体ベースと、該本体ベースに設置されたプリント基板と、該プリント基板に設置され、外光を遮断して煙粒子を流入する暗箱と、を具備する煙単独型火災感知器；に設置される火災感知器の保護カバーであって、
前記保護カバーは、前記暗箱が貫通して内側に配置される暗箱貫通孔が中央に形成されたカバー周面部と、前記暗箱の上面を覆うカバー天面部と、該カバー天面部と前記カバー周面部とを連結する複数の脚部と、を具備し、前記本体ベースに接合されるものであり、
さらに、前記保護カバーが、カバー本体部と、該カバー本体部に突き合わせ自在に分割された熱煙複合型火災感知器用カバーアダプタ、または、煙単独型火災感知器用カバーアダプタと、で構成され、
前記熱煙複合型火災感知器用カバーアダプタには、感熱素子が貫通するための感熱素子貫通孔が形成されることを特徴とする火災感知器の保護カバー。
【発明の詳細な説明】
【技術分野】
【０００１】
本発明は火災感知器および火災感知器の保護カバーに関する。
【背景技術】
【０００２】
従来、熱煙複合型火災感知器は、通常、屋内等の天井に設置されるものであって、空気温度を検出する温度検出手段と、空気中の煙を検出する煙検出手段と、これらの検出結果に基づいて火災の発生を判断する判断手段と、を有している。さらに、熱煙複合型火災感知器が正常な作動状態にあることを知らせるために点滅したり、火災の発生を検出したのが当該熱煙複合型火災感知器であることを知らせるために点灯する「表示灯」を有している。
【０００３】
熱煙複合型火災感知器には、円筒状のベースに判断手段を搭載したプリント基板が設置され、プリント基板に温度検出手段および煙検出手段が設置されている。温度検出手段はサーミスタ等の感熱素子であって、その先端において温度を検出する。煙検出手段は、暗室内に配置された発光素子および受光素子であって、煙粒子による光の散乱の有無ないし程度を検出する。そして、暗室はプリント基板に設置され、通風自在かつ遮光可能なラビリンス体によって包囲されている。
さらに、プリント基板は、暗室が突出するための開口部およびサーミスタが貫通する貫通孔が形成された保護カバー内に収納され、暗室およびサーミスタが保護カバーから突出する（例えば、特許文献１参照）。
【０００４】
一方、煙単独型火災感知器は、熱煙複合型火災感知器に設置されているサーミスタを撤去すると共に、プリント基板については空気温度に基づいて火災の発生を判断する回路を省略したものである。したがって、外観において、保護カバーから、暗箱のみが突出することになる。
【０００５】
【特許文献１】特開平０９−０９１５５９号公報（第３−４頁，図１）
【発明の開示】
【発明が解決しようとする課題】
【０００６】
ところで、種別の異なる火災感知器を製造するに際して、部品をなるべく共用して、コスト低減したいという要望がある。しかしながら、例えば、前記の熱煙複合型火災感知器と煙単独型火災感知器とを製造する場合を考えると、前者は保護カバーにサーミスタ用の貫通孔を必要とし、後者はかかる貫通孔を必要としないため、保護カバーについては共用することが不可能であった。そのため、従来は、それぞれ専用の保護カバーを必要としていたため、製造コストや保管コストが上昇していた。
【０００７】
本発明のかかる問題を解決するものであって、熱煙複合型火災感知器と煙単独型火災感知器とにおいて、保護カバーを共用することを目的とする。
【課題を解決するための手段】
【０００８】
（１）この発明は、本体ベースと、該本体ベースに設置されたプリント基板と、前記プリント基板に設置され、外光を遮断して煙粒子を流入する暗箱と、前記暗箱が貫通して内側に配置される暗箱貫通孔が中央に形成されたカバー周面部と、前記暗箱の上面を覆うカバー天面部と、該カバー天面部と前記カバー周面部とを連結する複数の脚部と、前記本体ベースに接合される保護カバーと、を少なくとも備えた火災感知器であって、
前記保護カバーが、カバー本体部と、該カバー本体部に突き合わせ自在に分割された熱煙複合型火災感知器用カバーアダプタ、または、煙単独型火災感知器用カバーアダプタと、で構成され、前記熱煙複合型火災感知器用カバーアダプタには、感熱素子が貫通するための感熱素子貫通孔が形成されることを特徴とする。
【０００９】
（２）また、前記熱煙複合型火災感知器用カバーアダプタは、前記カバー周面部の一部であって、前記感熱素子貫通孔が形成されるアダプタ周面部と、前記カバー天面部の一部であるアダプタ天面部と、該アダプタ天面部と前記アダプタ周面部とを連結して前記複数の脚部の１つを構成すると共に、前記感熱素子を保護する感熱素子プロテクタと、を具備し、
前記煙単独型火災感知器用カバーアダプタは、前記カバー周面部の一部であるアダプタ周面部と、前記カバー天面部の一部であるアダプタ天面部と、該アダプタ天面部と前記アダプタ周面部とを連結して前記複数の脚部の１つを構成する脚部と、を具備し、
前記カバー本体部は、前記アダプタ周面部に突き合わされることによって前記カバー周面部を形成するカバー周面本体部と、前記アダプタ天面部に突き合わされることによって前記カバー天面部を形成するカバー天面本体部と、前記複数の脚部を構成するいくつかの脚部と、を具備してなることを特徴とする。
【００１０】
（３）また、この発明は、本体ベースと、該本体ベースに設置されたプリント基板と、該プリント基板に設置され、外光を遮断して煙粒子を流入する暗箱と、前記プリント基板に立設された感熱素子と、を具備する熱煙複合型火災感知器；または、本体ベースと、該本体ベースに設置されたプリント基板と、該プリント基板に設置され、外光を遮断して煙粒子を流入する暗箱と、を具備する煙単独型火災感知器に設置される火災感知器の保護カバーであって、
前記保護カバーは、前記暗箱が貫通して内側に配置される暗箱貫通孔が中央に形成されたカバー周面部と、前記暗箱の上面を覆うカバー天面部と、該カバー天面部と前記カバー周面部とを連結する複数の脚部と、を具備し、前記本体ベースに接合されるものであり、
さらに、前記保護カバーが、カバー本体部と、該カバー本体部に突き合わせ自在に分割された熱煙複合型火災感知器用カバーアダプタ、または、煙単独型火災感知器用カバーアダプタと、で構成され、前記熱煙複合型火災感知器用カバーアダプタには、前記感熱素子が貫通するための感熱素子貫通孔が形成されることを特徴とする。
【発明の効果】
【００１１】
（ｉ）本発明に係る火災感知器は以上の構成であるから、空気温度および煙を検出する熱煙複合型火災感知器の保護カバーを、熱煙複合型火災感知器用カバーアダプタとカバー本体部とから形成し、一方、煙のみを検出する煙単独型火災感知器の保護カバーを、煙単独型火災感知器用カバーアダプタとカバー本体部とから形成するものにすることによって、両者のカバー本体部を共通にすることができるため、金型費の低減等によって保護カバーおよび火災感知器の製造コストが安価になり、また、保護カバーの在庫圧縮によって保護カバーの保管コストの低減が可能になる。
（ｉｉ）本発明に係る火災感知器の保護カバーは以上の構成であるから、カバー本体部を共用にして、カバーアダプタを選択することによって、空気温度および煙を検出する熱煙複合型火災感知器の保護カバーとして、あるいは煙のみを検出する煙単独型火災感知器の保護カバーとして、使用することができるため、金型費の低減等によって製造コストが安価になり、また、在庫圧縮によって保管コストの低減が可能になる。
【発明を実施するための最良の形態】
【００１２】
[実施の形態１：熱煙複合型火災感知器]
以下、本発明の実施の形態１に係る熱煙複合型火災感知器を図面を参照しながら説明する。なお、各図において同じ部分には同じ符号を付し、一部の説明を省略する。
図１〜図９は本発明の実施の形態１に係る熱煙複合型火災感知器を説明するものであって、図１は全体を示す斜視図、図２の（ａ）は全体を示す平面図、図２の（ｂ）は部分を示す拡大平面図、図３は全体を示す側面図、図４は全体を示す正面図、図５は全体を示す側面視の断面図、図６は図５の一部を拡大した拡大断面図、図７は部位に分けて示す側面視の断面図、図８は全体を示す略側面視の断面図、図９は一部を拡大して示す平面視の拡大断面図である。
【００１３】
図１〜図９において、熱煙複合型火災感知器（以下「火災感知器」と略称する）１００は、本体ベース１０と、本体ベース１０に設置されたプリント基板１と、プリント基板１に立設された感熱素子２と、プリント基板１に立設された発光素子および受光素子（図示しない）と、発光素子および受光素子を収容し、通風自在かつ遮光自在な暗箱３と、プリント基板１に設置された表示灯４と、保護カバー３０と、表示灯４の発する光を保護カバー３０の外部に案内する棒状のライトガイド５と、を有している（図５参照）。
なお、火災感知器１００は本体ベース１０が取付ベース（図示しない）を介して屋内の天井等に設置されるものであるが、説明の便宜上、以下の各図では、本体ベース１０を下側に、保護カバー３０を上側に記載している。
【００１４】
（本体ベース）
本体ベース１０は、円板状の本体底部１１と、本体底部１１の外周に立設された円筒状の本体筒部１２と、本体底部１１に立設された基板支持部１３とを、有している。
プリント基板１は、感熱素子２の検出結果や発光素子および受光素子の検出結果に基づいて、火災の発生を判断する判断機能や、該判断結果を報知する報知機能や、感熱素子２と発光素子および受光素子とが正常に作動していることを報知する作動点検機能等を奏する回路および電子部品を有するものである。そして、感熱素子２と、発光素子および受光素子（図示しない）と、表示灯４とが直接設置されている（図７の（ｂ）参照）。
感熱素子２は、空気温度を検出するものであって、先端部において熱を検出する棒状のサーミスタであり、暗箱３の側方で立設してプリント基板１に取り付けられる（以下、感熱素子２を「サーミスタ２」と称す）。
【００１５】
（暗箱）
暗箱３は、内部に所定の間隔を設けて配置された発光素子および受光素子（図示しない）を収容するものである。すなわち、発光素子と受光素子との間に進入した煙粒子を検出するために、外光を遮断して煙粒子のみを流入自在にするものである。すなわち、プリント基板１に設置されて、上面を開口する略円筒状の光学台３ａと、光学台３ａの上面を閉塞する略円板状の光学台カバー３ｂとを有し、光学台３ａは遮光自在かつ通気自在なように、多数の遮光リブを周部に配列した円筒状のラビリンス体によって形成されている。また、光学台３ａの周りには防虫網（図示せず）が設置される。
また、受光素子は、発光素子から発せられた光が煙粒子によって散乱された際の散乱光を検出するものであり、かかる検出結果に基づいて、プリント基板１が、煙粒子の存在、すなわち火災発生の有無を判断することになる。なお、本発明は、暗箱３や煙粒子の検出手段を限定するものではない。
【００１６】
（表示灯）
表示灯４はプリント基板１に固定され、暗箱３を挟んでサーミスタ２と対向して位置している。そして、表示灯４の直上には保護カバー３０に設置されたライトガイド５の下端面が、近接して対峙している（これについては、別途詳細に説明する）。
【００１７】
（ライトガイド）
ライトガイド５は、光透過材によって形成された棒状であって、表示灯４の発する光を保護カバー３０外部に案内する。ライトガイド５は、略円柱状の柱部５ｃの一方の端面寄りの側面に対峙する一対のリブ５ｄが形成され、一方および他方の両端面には略回転楕円状の凹部（凹レンズを形成する）５ａ、５ｂが形成されている（これについては、別途詳細に説明する）。
【００１８】
（保護カバー）
保護カバー３０は、略円環状のカバー周面部３１と、略円板状のカバー天面部３９と、カバー周面部３１とカバー天面部３９とを連結するするカバー脚部４０とを有している。
カバー周面部３１は、本体ベース１０の本体筒部１２の先端に嵌合する外周縁を有している。また、カバー周面部３１は、暗箱３が貫通して内側に配置される略円形状の暗箱貫通孔（暗箱用開口部）３３が中央に形成され、さらに、暗箱貫通孔３３の周囲には、サーミスタ２が貫通する略円形状のサーミスタ貫通孔（サーミスタ用開口部）３２と、ライトガイド５が貫通する略円形状のライトガイド貫通孔３５と、が形成されている（図７の（ａ）参照）。
【００１９】
このとき、サーミスタ貫通孔３２とライトガイド貫通孔３５とは、中央に形成された暗箱貫通孔３３を挟んで対向している。
また、カバー周面部３１の下面には、本体底部１１に固定するためのネジ止め用ボス３４が形成され、本体底部１１（本体筒部１２）に形成されたネジ止め孔１４を貫通する固定用ネジ６が、ネジ止め用ボス３４に形成された雌ネジに螺合している（図８参照）。これによって、保護カバー３０と本体ベース１０とが係合（接合）して、火災感知器１００の筐体を構成している。
【００２０】
カバー天面部３９は、カバー周面部３１の上方に所定の距離を設けて突出し、平面視において暗箱貫通孔３３を覆うように配置されて、暗箱３の上面を覆う。そして、カバー天面部３９の外周縁と暗箱貫通孔３３の内周縁との間には、煙流入口としての略円筒状の開口部３８が形成されることになり、開口部３８を通過して、煙（空気を含む）が暗箱３内に流入することになる。
【００２１】
カバー脚部４０は略三角形状の板材であって、その頂点がカバー天面部３９の外周縁に、その底辺がカバー周面部３１の上面に接合され、暗箱３の中心（暗箱貫通孔３３の中心に同じ）に対して放射状に配置されている。なお、カバー周面部３１とカバー天面部３９とカバー脚部４０とは一体的に成形されている。
そして、カバー脚部４０に挟まれて、ライトガイド５を保護するための形態であるライトガイド保護脚５０と、ライトガイド保護脚５０と対向して位置してサーミスタ２を保護するための形態であるサーミスタプロテクタ（感熱素子プロテクタ）２０と、が設置されている。図中、カバー脚部４０とライトガイド保護脚５０とサーミスタプロテクタ２０とは、略同一円周上で、等角（６０°間隔）に配置されている（これらについては、別途詳細に説明する）。なお、ライトガイド保護脚５０、およびサーミスタプロテクタ２０は、カバー脚部４０として機能する。
【００２２】
（サーミスタプロテクタ）
サーミスタプロテクタ（以下「プロテクタ」と略称する）２０は、平面視において、保護カバー３０の径方向（図２においてＡ−Ａ線方向）に対して、サーミスタ２（サーミスタ貫通孔３２）を挟んで、対称的に両側に配置された一対のアーチ状部材２０ａ、２０ｂによって構成され、アーチ状部材２０ａ、２０ｂによってサーミスタ２が囲まれている。以下、共通する内容については、その一方について説明し、このとき、符号の添え字「ａ、ｂ」の記載を省略する。
アーチ状部材２０ａ、２０ｂは、カバー周面部３１とカバー天面部３９に跨って一体的に形成されたものであって、カバー周面部３１のサーミスタ貫通孔３２の外周側から立設された略平板状の長脚部２１ａ、２１ｂと、カバー天面部３９の周縁から立設された略平板状の短脚部２９ａ、２９ｂと、長脚部２１ａ、２１ｂの先端と短脚部２９ａ、２９ｂの先端とを、それぞれ連結する略平板棒状の端部水平部２８ａ、２８ｂと、サーミスタ貫通孔３２の両側でカバー周面部３１に立設された略平板矩形状の基部水平部２２ａ、２２ｂと、を有している。基部水平部２２ａ、２２ｂは、長脚部２１ａ、２１ｂの内側からカバー周面部３１の内周縁に亘って設けられている。
【００２３】
端部水平部２８ａ、２８ｂは、平面視において、サーミスタ２への空気流れを阻害しない程度に離れて、保護カバー３０の径方向と平行に配置され、また、側面視において、サーミスタ２よりも突出した高さで配置されている。
長脚部２１ａ、２１ｂは、平面視において、保護カバー３０の径を挟んで（両側で）、サーミスタ２に近いほど互いに近づくようにハ字状に配置されている。一方、短脚部２９ａ、２９ｂは、平面視において、保護カバー３０の径を挟んで、サーミスタ２に近いほど互いに近づくようにハ字状に配置されている（図２、図９参照）。つまり、長脚部２１ａ、２１ｂおよび短脚部２９ａ、２９ｂは、サーミスタ２に対して放射状に配置されている。
【００２４】
そして、図２の（ｂ）において、短脚部２９ａと短脚部２９ｂのカバー天面部３９の中心に最も近い位置（図中、それぞれ「ハ」にて示す）同士の距離Ｗ２９が、長脚部２１ａと長脚部２１ｂのカバー天面部３９の中心から最も遠い位置（図中、それぞれ「イ」にて示す）同士の距離Ｗ２１より、大きくなっている。したがって、互いに平行に配置された端部水平部２８ａと端部水平部２８ｂとの間隔を距離Ｗ２８とすると、これらの距離には以下の関係がある。
Ｗ２９＞Ｗ２８・・・・・式１
Ｗ２１＞Ｗ２８・・・・・式２
Ｗ２９＞Ｗ２１・・・・・式３
【００２５】
さらに、基部水平部２２ａ、２２ｂは、平面視において、それぞれ端部水平部２８ａ、２８ｂに略平行であって、側面視において、カバー天面部３９と所定の隙間２６ａ、２６ｂを形成している。したがって、側面視において、基部水平部２２ａ、２２ｂの上縁と、長脚部２１ａ、２１ｂの暗箱３の中心に近い方の縁と、端部水平部２８ａ、２８ｂの下縁と、短脚部２９ａ、２９ｂの暗箱３の中心から遠い方の縁と、によって、隙間２６ａ、２６ｂを有する略矩形状の空間２７ａ、２７ｂが形成されている。
【００２６】
ここで、サーミスタ２の先端は、図３に示すように、側面視において、暗箱３の側方で、カバー天面部３９よりも突出した高さに設けられている。すなわち、暗箱３の陰に隠れていないから、カバー天面部３９の外面に沿って流れてくる空気の流れ（図２（ａ）の上方向からの気流）に対して、サーミスタ２の先端は、直接晒されるので、低感度な暗箱３を挟んだ方向からの熱気流を効果的に捕捉することができるので、その方向の空気温度を良好に検出することができる。このとき、一対の短脚部２９ａ、２９ｂが平面視においてカバー天面部３９の中心側に広がったハ字状を呈するから、カバー天面部３９の外面に沿って流れてくる空気の流れは一対の短脚部２９ａ、２９ｂによって集められ、効果的にサーミスタ２に向かって流れる。
【００２７】
つまり、図２（ａ）の上方向からの気流に対しては、一対の短脚部２９ａ、２９ｂが、サーミスタ２に向けて間隔が狭くなるようなハ字状（放射状）に形成されていることによって、サーミスタ２に気流を効果的に集めることができ、これと同様に、図２（ａ）の下方向からの気流に対しては一対の長脚部２１ａ、２１ｂが、図２（ａ）の左方向からの気流に対しては短脚部２９ａと長脚部２１ａとが、また、図２（ａ）の右方向からの気流に対しては短脚部２９ｂと長脚部２１ｂとが、サーミスタ２に向けて間隔が狭くなるようなハ字状（放射状）にそれぞれ形成されていることによって、サーミスタ２に気流を効果的に集めることができる。
そして、短脚部２９ａ、２９ｂ同士の開き度合い（距離Ｗ２９）が長脚部２１ａ、２１ｂ同士の開き度合い（距離Ｗ２１）よりも大きいから、低感度な暗箱３を挟んだ方向からの熱気流をより捕捉することができ、サーミスタ２の全周方向の感度特性を均一化することができる。
【００２８】
そして、サーミスタ２の先端は、側面視において、端部水平部２８ａ、２８ｂの下縁に近い位置にあって、空間２７ａ、２７ｂを通して視認することができる。すなわち、側面視の方向（図２の（ａ）において左右方向）からカバー周面部３１の外面に沿って流れて来た空気（煙を含む）は、基部水平部２２ａ、２２ｂに衝突して下降気流となって、空間２７ａ、２７ｂを通過してサーミスタ２の先端に到達することになるから、側面視においてサーミスタ２をカバー天面部３９よりも突出した高さとしても、効果的にサーミスタ２の先端に向かって流れるので、当該空気の温度を良好に検出することができる（図３、図５、図７参照）。ここで、基部水平部２２ａ、２２ｂの設置による煙検出への影響を最小に抑えるために、側面視において、基部水平部２２ａ、２２ｂとカバー天面部３９との間に、煙流入用の隙間２６ａ、２６ｂを形成している。
なお、図２（ａ）の下方向からの空気（煙を含む）は、カバー周面部３１の外面に沿って流れてから暗箱３内に流入するので、良好に煙を検出することができ、さらに引き続いて、この空気が暗箱３の側面上を下降して、サーミスタ２の先端に到達することになるから、この方向に対しては基部水平部を設けなくても、当該空気の温度を良好に検出することができる。つまり、基部水平部２２ａ、２２ｂの設置による煙検出への影響を最小に抑えるために、基部水平部２２ａ、２２ｂはサーミスタ貫通孔３２の両側のみとしている。
また、直下からの気流に対しては、サーミスタ２の先端が、平面視において端部水平部２８ａ、２８ｂ同士の間に位置することによって、サーミスタ２に向かって略垂直に流れて来た（上昇した）空気は、そのままサーミスタ２に衝突するので、直下からの空気温度を良好に検出することができる。
なお、アーチ状部材２０ａ、２０ｂは前記のように、サーミスタ２に異物等が衝突することを防止するプロテクタとして機能するのは勿論、空気流れを阻害しないで、これを効果的に誘導して検出を促進させる機能と共に、カバー周面部３１とカバー天面部３９とを連結する脚として、しかも、一対の堅固な脚として機能しているから、カバー天面部３９の変形や損傷を抑えている。
【００２９】
（ライトガイド保護脚）
ライトガイド保護脚５０は、ライトガイド貫通孔３５に連通してカバー周面部３１の上面に形成された円筒状の保護脚筒部５０ａと、保護脚筒部５０ａの上端とカバー天面部３９とを連結する保護脚連結部５０ｂと、ライトガイド貫通孔３５に連通してカバー周面部３１の下面に形成されたリブ陥入部５０ｄと、を有している（図６、図７参照）。なお、ライトガイド貫通孔３５についても、ライトガイド保護脚５０として機能する。
そして、ライトガイド５は、カバー周面部３１の下面側からライトガイド貫通孔３５内に挿入され、保護脚筒部５０ａを貫通している。このとき、ライトガイド５の側面に形成されたリブ５ｄがリブ陥入部５０ｄに進入（陥入に同じ）して係止しているから、ライトガイド５の高さは正確であって、ライトガイド５の上端はカバー天面部３９の上面と略同じ高さに位置している。
したがって、天井面に設置されたときに、暗箱３によって視認性を阻害されることがなく、広い範囲（３６０°）から表示灯４の発する光を視認することができる。また、ライトガイド５は、暗箱３を挟んでサーミスタ２と対向配置され、サーミスタ２と最遠の位置関係にあるため、サーミスタ２によって視認性が阻害されることもない。なお、ライトガイド５の上端をカバー天面部３９の上面よりも突出した高さとしてもよい。また、保護カバー３０として、暗箱３を保護しない構成、つまり、カバー天面部３９およびカバー脚部４０を削除してカバー周面部３１のみで構成する場合は、ライトガイド５の上端は、暗箱３の上面と略同じ高さ、または暗箱３の上面よりも突出した高さとすればよい。
【００３０】
また、ライトガイド５は、ライトガイド保護脚５０に形成された保護脚筒部５０ａによって保護されるから、異物の衝突等による損傷が防止される。また、ライトガイド５は暗箱３の側方近傍に配置されることになり、物などがぶつかりにくい配置関係となる。
そして、保護脚連結部５０ｂは保護脚筒部５０ａに比較して細く形成され、保護脚筒部５０ａは、ライトガイド５を異物の衝突等から保護するために必要な最低高さに抑えられており、カバー周面部３１からの突出量がカバー天面部３９よりも小さい。したがって、カバー周面部３１の上面に沿って流れて来た空気（煙を含む）は、ライトガイド５、保護脚筒部５０ａおよび保護脚連結部５０ｂによって邪魔されることが最少に防止され、暗箱３内に流入することができる。
また、ライトガイド５がカバー天面部３９の高さと略同じ高さなので、このカバー周面部３１の上面に沿って流れてきた空気は、ライトガイド５によって邪魔されることなく、カバー天面部３９の上面に沿って流れて、暗箱３を挟んで対向するサーミスタ２まで確実に流れるので、サーミスタ２による熱気流の捕捉に影響を与えない。
さらに、ライトガイド保護脚５０は、ライトガイド５の損傷を防止する機能と共に、カバー周面部３１とカバー天面部３９とを連結するカバー脚部４０として機能し、しかも、保護脚筒部５０ａを具備する堅固な脚として機能しているから、カバー天面部３９の変形や損傷を抑えている。
【００３１】
（ライトガイドの設置形態）
図１０〜図１２は本発明の実施の形態に係る熱煙複合型火災感知器におけるライトガイドの設置形態を説明するためのものであって、図１０はライトガイドの一実施例を示す三面図、図１１はカバー周面部を示す背面図、図１２はライトガイドの設置形態を示す斜視図である。
図１０において、ライトガイド５は透光性を具備する樹脂（たとえば、アクリル）を射出成形したものであって、略円柱状の柱部５ｃを光が導かれるものである。そして、柱部５ｃの保護カバー３０から下方に突出する方の下端面（表示灯４に対峙する端面に同じ）には、集光性を助長する略回転楕円状の凹部５ａが形成され、保護カバー３０から上方に突出する方の上端面には、散光性を助長する略回転楕円状の凹部５ｂが形成され、下端面に近い側面には対向した一対の略矩形状のリブ５ｄ、５ｄが形成されている。
【００３２】
ライトガイドの両端面に凹部５ａ、５ｂが形成されているから、一方の端面（凹部５ａ）から表示灯４の発する光を効果的に受け入れると共に、他方の端面（凹部５ｂ）からかかる光を広い範囲に放射することができるため、高輝度であって、広い方向からの視認性に富んでいる。
なお、リブ５ｄ、５ｄのリブ下端面５ｅ、５ｅは、射出成形後に金型から抜き出すためのエジェクターピンが当接する位置になり、リブ５ｄ、５ｄのリブ側面５ｆ、５ｆには、射出成形の際の注入ゲートが設けられる。したがって、光が導かれる円柱状部分（柱部５ｃ）は健全に保たれ、側面からの不要な光の散逸が防止されている。
【００３３】
図１１において、カバー周面部３１の下面にはライトガイド貫通孔３５を囲むように一対の略円弧状のライトガイド固定部５０ｃ、５０ｃが形成され、ライトガイド固定部５０ｃ、５０ｃの両端同士の隙間がリブ陥入部５０ｄを形成している。
図１２（ａ）において、ライトガイド貫通孔３５にライトガイド５の柱部５ｃが挿入され、リブ陥入部５０ｄにリブ５ｄ、５ｄが圧入される直前の様子を示す。なお、図１２の（ｂ）に部分拡大図を示す。図中、矢印は圧入方向を示している。
【００３４】
[実施の形態２：種別の異なる火災感知器での保護カバー共用構造]
次に、本発明の実施の形態２として、種別の異なる火災感知器で保護カバーを共用する構造について説明する。ここでは、熱煙複合型火災感知器と煙単独型火災感知器とで保護カバーを共用する構造について説明する。なお、詳細は以下に示すが、本発明では、保護カバーを共用するために、保護カバーを分割構造としている。
【００３５】
（１）保護カバーを分割構造とした熱煙複合型火災感知器
図１３〜図１４は、本発明の実施の形態２に係る火災感知器の保護カバーを分割構造とした熱煙複合型火災感知器を説明する図であり、図１３は全体を示す斜視図、図１４の（ａ）はカバーアダプタを示す平面図、図１４の（ｂ）はカバーアダプタを示す側面図、図１４の（ｃ）はカバーアダプタを示す背面図である。なお、実施の形態１と同じ部分または相当する部分にはこれと同じ符号を付し、一部の説明を省略する。
図１３〜図１４において、熱煙複合型火災感知器（以下「火災感知器」と略称する）２００は、火災感知器１００（実施の形態１）における保護カバー３０を分割構造としたものである。すなわち、火災感知器２００の保護カバー３０は、サーミスタプロテクタ２０が形成された熱煙複合型火災感知器用カバーアダプタ（以下「カバーアダプタ」と略称する）２２０と、カバー本体部２３０と、から構成されている。
【００３６】
（カバーアダプタ）
カバーアダプタ２２０は、保護カバー３０においてプロテクタ２０が設置された範囲を切り出したものに相当し、カバー周面部３１の一部を略円弧状に切り出した形状のアダプタ周面部２３１ａと、カバー天面部３９の一部を略矩形状（一辺が略円弧である）に切り出した形状のアダプタ天面部２３９ａと、アダプタ周面部２３１ａとアダプタ天面部２３９ａとを連結するプロテクタ２０と、アダプタ周面部２３１ａの下面に形成されたネジ止め用ボス３４と、を有している。なお、プロテクタ２０の一対のアーチ状部材２０ａ、２０ｂの間には、サーミスタ貫通孔３２が形成されている。
【００３７】
（カバー本体部）
カバー本体部２３０は、保護カバー３０からカバーアダプタ２２０を撤去した形状であって、カバー周面部３１から略円弧状のカバー周面切欠部２３１ｂを切り取った形状のカバー周面本体部２３１ｃと、カバー天面部３９から略矩形状のカバー天面切欠部２３９ｂを切り取った形状のカバー天面本体部２３９ｃと、カバー周面本体部２３１ｃとカバー天面本体部２３９ｃとを連結する複数のカバー脚部４０と、を有している。なお、カバー周面本体部２３１ｃの下面で、暗箱３を挟んでカバー周面切欠部２３１ｂと対照的な位置には、図８に示されるように、ネジ止め用ボス３４が形成されている。
そして、カバーアダプタ２２０とカバー本体部２３０とは、それぞれを本体ベース１０に固定することによって、両者は組み合わされて、保護カバー３０が完成する。つまり、アダプタ周面部２３１ａとカバー周面本体部２３１ｃとが突き合わさってカバー周面部３１が形成され、アダプタ天面部２３９ａとカバー天面本体部２３９ｃとが突き合わさってカバー天面部３９が形成される。
【００３８】
（２）保護カバーを分割構造とした煙単独型火災感知器
図１５〜図１６は、本発明の実施の形態２に係る火災感知器の保護カバーを分割構造とした煙単独型火災感知器を説明する図であり、図１５は全体を示す斜視図、図１６の（ａ）はカバーアダプタを示す平面図、図１６の（ｂ）はカバーアダプタを示す側面図、図１６の（ｃ）はカバーアダプタを示す背面図である。なお、実施の形態１および実施の形態２の上記（１）と同じ部分または相当する部分にはこれと同じ符号を付し、一部の説明を省略する。
【００３９】
図１５〜図１６において、煙単独型火災感知器（一例として、光電式煙感知器を示す。以下「火災感知器」と略称する）３００は、火災感知器２００におけるサーミスタ２を撤去したものであり、したがって、プリント基板１が空気温度に基づく判断機能を欠くものの、煙濃度に基づく判断機能を有している。
そして、火災感知器３００は、火災感知器２００におけるサーミスタ２を撤去したために、火災感知器２００におけるカバーアダプタ２２０に代えて、煙単独型火災感知器用カバーアダプタ（以下「カバーアダプタ」と略称する）３２０を設置したものである。すなわち、火災感知器３００の保護カバー３０は、カバーアダプタ３２０と、カバー本体部２３０と、から構成されている。
【００４０】
カバーアダプタ３２０は、カバーアダプタ２２０から、サーミスタ貫通孔３２およびサーミスタ２を保護するプロテクタ２０を撤去し、代わりに、アダプタ天面部２３９ａとアダプタ周面部２３１ａとを連結するカバー脚部４０を設けたものである。
そして、カバーアダプタ３２０とカバー本体部２３０とは、それぞれを本体ベース１０に固定することによって、両者は組み合わされて、保護カバー３０が完成する。つまり、アダプタ周面部２３１ａとカバー周面本体部２３１ｃとが突き合わさってカバー周面部３１が形成され、アダプタ天面部２３９ａとカバー天面本体部２３９ｃとが突き合わさってカバー天面部３９が形成される。
【００４１】
したがって、火災感知器２００、３００は、カバーアダプタ２２０、カバーアダプタ３２０およびカバー本体部２３０を、それぞれ製造して、カバーアダプタ２２０とカバー本体部２３０とによって保護カバー３０（火災感知器２００用）を形成し、カバーアダプタ３２０とカバー本体部２３０とによって保護カバー３０（火災感知器３００用）を形成することができる。
すなわち、カバー本体部２３０を共通にして、カバー本体部２３０とカバーアダプタ２２０とを突き合わせることによって火災感知器２００に好適な保護カバー３０を形成することができ、カバー本体部２３０とカバーアダプタ３２０とを突き合わせることによって火災感知器３００に好適な保護カバー３０を形成することができるものである。
【００４２】
このように、カバー本体部２３０を共通にすることによって、金型費の低減等によって保護カバーおよび火災感知器の製造コストが安価になり、また、保護カバーの在庫圧縮によって保護カバーの保管コストの低減が可能になる。
特に、複雑形状であるプロテクタ２０を含むカバーアダプタ２２０を、小型のモジュールにしているから、カバーアダプタ２２０を成形するための金型を小型にすることが可能になり、製造コストを低減することができる。
また、プロテクタ２０が変形や損傷した場合、カバーアダプタ２２０のみの交換によって対応することができるから、保全コストが低減する。
【００４３】
なお、熱煙複合型火災感知器２００、または煙単独型火災感知器３００として、火災の発生を判断する機能を切り換えるための種別切換スイッチをプリント基板１に設けるようしてもよい。このようにすれば、例えば、設置場所の環境が変化して、感知方式（種別）を変更する必要がある場合にも、サーミスタ２の取付けまたは取り外しと、カバーアダプタ２２０、３２０を変更することによって、対応することが可能となる。
【産業上の利用可能性】
【００４４】
以上のように、本発明に係る火災感知器および火災感知器の保護カバーは、保護カバーを共用することができるから、様々な場所に設置される各種火災感知器として、また、各種火災感知器の保護カバーとして広く利用することができる。
【図面の簡単な説明】
【００４５】
【図１】本発明の実施の形態１に係る熱煙複合型火災感知器を説明する全体斜視図。
【図２】図１に示す熱煙複合型火災感知器を説明する全体を示す平面図および部分を示す拡大平面図。
【図３】図１に示す熱煙複合型火災感知器を説明する全体を示す側面図。
【図４】図１に示す熱煙複合型火災感知器を説明する全体を示す正面図。
【図５】図１に示す熱煙複合型火災感知器を説明する全体を示す側面視の断面図。
【図６】図５に示す熱煙複合型火災感知器の一部を拡大した拡大断面図。
【図７】図１に示す熱煙複合型火災感知器の部位に分けて示す側面視の断面図。
【図８】図１に示す熱煙複合型火災感知器を説明する全体を示す略側面視の断面図。
【図９】図１に示す熱煙複合型火災感知器の一部を拡大して示す平面視の断面図。
【図１０】図１に示す熱煙複合型火災感知器のライトガイドの実施例を示す三面図。
【図１１】図１に示す熱煙複合型火災感知器のカバー周面部を示す背面図。
【図１２】図１に示す熱煙複合型火災感知器のライトガイドの設置形態を示す斜視図。
【図１３】本発明の実施の形態２に係る、保護カバーを分割構造とした熱煙複合型火災感知器の全体を示す斜視図。
【図１４】図１３に示す火災感知器におけるカバーアダプタを示す図。
【図１５】保護カバーを分割構造とした煙単独型火災感知器の全体を示す斜視図。
【図１６】図１５に示す火災感知器におけるカバーアダプタを示す図。
【符号の説明】
【００４６】
１   プリント基板
２   サーミスタ（感熱素子）
３   暗箱
３ａ 光学台
３ｂ 光学台カバー
４   表示灯
５   ライトガイド
５ａ 凹部
５ｂ 凹部
５ｃ 柱部
５ｄ リブ
５ｅ リブ下端面
５ｆ リブ側面
６   固定用ネジ
１０   本体ベース
１１   本体底部
１２   本体筒部
１３   基板支持部
１４   ネジ止め孔
２０   プロテクタ（感熱素子プロテクタ）
２０ａ アーチ状部材
２１ａ 長脚部
２２ａ 基部水平部
２６ａ 隙間
２７ａ 空間
２８ａ 端部水平部
２９ａ 短脚部
３０   保護カバー
３１   カバー周面部
３２   サーミスタ貫通孔（感熱素子貫通孔）
３３   暗箱貫通孔
３４   ネジ止め用ボス
３５   ライトガイド貫通孔
３８   開口部
３９   カバー天面部
４０   カバー脚部
５０   ライトガイド保護脚
５０ａ 保護脚筒部
５０ｂ 保護脚連結部
５０ｃ ライトガイド固定部
５０ｄ リブ陥入部
１００  火災感知器（実施の形態１）
２００   熱煙複合型火災感知器（実施の形態２）
２２０   カバーアダプタ（熱煙複合型火災感知器用）
２３０   カバー本体部
２３１ａ アダプタ周面部
２３１ｂ カバー周面切欠部
２３１ｃ カバー周面本体部
２３９ａ アダプタ天面部
２３９ｂ カバー天面切欠部
２３９ｃ カバー天面本体部
３００   煙単独型火災感知器
３２０   カバーアダプタ（煙単独型火災感知器用）
【図１】
2009245088.tif 000003
【図２】
2009245088.tif 000004
【図３】
2009245088.tif 000005
【図４】
2009245088.tif 000006
【図５】
2009245088.tif 000007
【図６】
2009245088.tif 000008
【図７】
2009245088.tif 000009
【図８】
2009245088.tif 000010
【図９】
2009245088.tif 000011
【図１０】
2009245088.tif 000012
【図１１】
2009245088.tif 000013
【図１２】
2009245088.tif 000014
【図１３】
2009245088.tif 000015
【図１４】
2009245088.tif 000016
【図１５】
2009245088.tif 000017
【図１６】
2009245088.tif 000018